Podtech/llm-jp-corpus-v4-ja_patent huggingface dataset:
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
デジタルイメージのコレクションのためにカスタマイズされたフォトアルバムページを生成する方法であって、
複数のデジタルイメージを獲得するステップと、
前記イメージを、イベントによるグループ化及び前記イメージ内に存在する人物たちによるグループ化の少なくとも一つに基づいて、一つ又はそれ以上のイメージセットに自動的にグループ化するステップと、
各イメージセット内の前記イメージをイメージコンテンツにしたがって自動的にプロファイリングし、それによって特定のイメージセットを一つ又はそれ以上のデザインテーマに関係付けるステップと、
カスタマイズされたフォトアルバムページを生成するために使用され得るデザイン要素のデータベースを提供するステップと、
前記プロファイリングステップによって生成された前記デザインテーマを利用して、前記デザイン要素のデータベースから一つ又はそれ以上のデザイン要素を自動的に示唆するステップと、
前記示唆されたデザイン要素の一つ又はそれ以上をページレイアウトに適用することによって、各イメージセットに対するカスタマイズされたフォトアルバムページレイアウトを自動的に生成するステップと、
を包含する、方法。
【請求項２】
カスタマイズされたフォトアルバムページ及びプリントを生成する方法であって、
複数のデジタル静止イメージを評価するステップと、
前記複数のデジタルイメージの中の人間の顔のイメージを検出するステップと、
前記検出された顔のイメージを、年齢グループによって及び性別グループによって分類し、それによって各イメージに関連した分類された顔を提供するステップと、
各イメージ内の前記分類された顔に基づいて、各イメージを顔に基づくフォトプロファイルに割り当てるステップと、
前記顔に基づくフォトプロファイルを使用して適切なデザイン選択肢を示唆するステップと、
前記示唆された適切なデザイン選択肢を利用して、前記イメージをカスタマイズされたアルバムページにレイアウトするステップと、
を包含する、方法。
【請求項３】
カスタマイズされたフォトアルバムページを生成する方法であって、
複数のデジタル静止イメージを評価するステップと、
前記複数の静止イメージの中の一つ又はそれ以上のイベントを検出するステップと、
検出された各イベントに対して、そのイベントに属する前記複数のデジタルイメージ内の人間の顔のイメージを検出するステップと、
前記検出された顔を、各グループが独特な個人を描くように、顔の類似性を使用してグループ化するステップと、
前記検出された顔を年齢グループによって及び性別によって分類するステップと、
各イメージ内の前記分類された顔に基づいて、各イメージを顔に基づくフォトプロファイルに割り当てるステップと、
得られた前記顔に基づくプロファイルを使用して、適切なデザイン選択肢を示唆するステップと、
前記イメージをアルバムページにレイアウトするステップと、
前記カスタマイズされたアルバムページをプリントするステップと、
を包含する、方法。
【請求項４】
カスタマイズされたフォトアルバムページ及びプリントを生成する方法であって、
複数のデジタル静止イメージを評価するステップと、
前記複数のデジタルイメージの中の人間の顔のイメージを検出するステップと、
前記検出された顔を、各グループが独特な個人を描くように、顔の類似性を使用してグループ化するステップと、
前記検出された顔を年齢グループによって及び性別によって分類するステップと、
分類された顔の各グループに対して、各グループ内の一つ又はそれ以上のイベントを検出するステップと、
各イメージ内の前記分類された顔に基づいて、各イメージを顔に基づくフォトプロファイルに割り当てるステップと、
得られた前記顔に基づくプロファイルを使用して、適切なデザイン選択肢を示唆するステップと、
前記イメージをアルバムページにレイアウトするステップと、
前記カスタマイズされたアルバムページをプリントするステップと、
を包含する、方法。
【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
ソケット（１７）内に挿入するためのプラグ（１２）であって、
各々が、前記ソケットと挿抜可能に形成された弾性部（１６）と剛性部（１４）とを有し、互いに間隙を空けて設けられた、第１棒状部材（１３）及び第２棒状部材（１５）と、
前面部（３２）を有するプラグフレーム（３０）と、
を備え、
前記第１、第２棒状部材は、前記プラグフレーム（３０）の前面部（３２）に対して固定され、前面部（３２）から突出し、
前記プラグの高さと前記プラグフレームから突出した棒状部材の長さとの比は、１：３から２．４：６．５の間であることを特徴とするプラグ（１２）。
【請求項２】
前記剛性部が、前記弾性部よりも高くなるように構成されていることを特徴とする請求項１に記載のプラグ。
【請求項３】
第１及び第２棒状部材の前記剛性部は、前記弾性部に隣接する隣接部（１８）を含み、高さが可変であることを特徴とする請求項２に記載のプラグ。
【請求項４】
前記高さは、直線的に変化することを特徴とする請求項３に記載のプラグ。
【請求項５】
弾性部（１６）は凹部（２２）を有し、該凹部が、ソケット（２４）の対応する凸部（２８）と係合することを特徴とする請求項１乃至４のいずれか１項に記載のプラグ。
【請求項６】
弾性部は、ソケットの凹部と係合する凸部を有することを特徴とする請求項１乃至４のいずれか１項に記載のプラグ。
【請求項７】
前記第１、第２棒状部材（１３、１５）の各弾性部（１６）は、剛性部と接続されている側とは逆側の端部において、ばね状の動きをする接続部（２０）により互いに接続されていることを特徴とする請求項１乃至６の何れか１項に記載のプラグ。
【請求項８】
前記第１、第２棒状部材は、前記前面部に対し、前記剛性部によって取り付けられることを特徴とする請求項１乃至７の何れか１項に記載のプラグ。
【請求項９】
対応するコネクタ（１１）のソケット（１７）に挿入するための、請求項１に係る少なくとも１つのプラグ（１２）を、含むコネクタ（１０）。
【手続補正書】
【提出日】平成18年11月14日(2006.11.14)
【手続補正１】
【補正対象書類名】特許請求の範囲
【補正対象項目名】請求項１０
【補正方法】変更
【補正の内容】
【請求項１０】
前記第２の接点区分は、ほぼカンチレバー式のＬ形を有する前記請求項８記載のガスジェネレータイグナイタコネクタ。
【手続補正２】
【補正対象書類名】特許請求の範囲
【補正対象項目名】請求項１１
【補正方法】変更
【補正の内容】
【請求項１１】
前記第２の接点区分は、前記短絡接点の設置ベース区分の上端から延び、下方に曲げられている前記請求項１０記載のガスジェネレータイグナイタコネクタ。
【手続補正３】
【補正対象書類名】特許請求の範囲
【補正対象項目名】請求項１２
【補正方法】変更
【補正の内容】
【請求項１２】
前記第１の接点区分は、前記設置ベース区分の上端から延び、下方に曲げられている前記請求項１１記載のガスジェネレータイグナイタコネクタ。
【手続補正４】
【補正対象書類名】特許請求の範囲
【補正対象項目名】請求項１３
【補正方法】変更
【補正の内容】
【請求項１３】
前記設置区分は、前記絶縁ハウジング部材をもってスナップロック設置するためのタブを有する前記請求項１１記載のガスジェネレータイグナイタコネクタ。
【手続補正５】
【補正対象書類名】特許請求の範囲
【補正対象項目名】請求項１４
【補正方法】変更
【補正の内容】
【請求項１４】
前記外側の電気的に伝導性の部材は、ガスジェネレータイグナイタの外側のハウジングを有する前記請求項８記載のガスジェネレータイグナイタコネクタ。
【手続補正６】
【補正対象書類名】明細書
【補正対象項目名】００１５
【補正方法】変更
【補正の内容】
【００１５】
内側ハウジング部材１８は、通常、環状の外側リング２４、結合するコネクタ受入領域２６、および短絡接点受入領域２８を有する。内側ハウジング部材１８の後端は、その中に電気端子２０を設置するための穴４６（図５参照）を
有する。電気端子２０の前端は、結合するコネクタ受入領域２６内に延びる。環状の外側リング２４は、内側ハウジング部材１８の前側に面する棚３０を形成する。結合するコネクタ受入領域２６は、寸法どりされ、形づくられて、結合する電気コネクタ（図示せず）の一部を受入れ、その結合するコネクタの接点が、電気端子２０と電気接続をなすことができる。
【手続補正７】
【補正対象書類名】明細書
【補正対象項目名】００２０
【補正方法】変更
【補正の内容】
【００２０】
自動車安全エアバッグ用のようなガスジェネレータは、この技術分野では一般的に周知である。これらの周知のガスジェネレータは、外側ハウジング１４のような部材、ピン接点２０および短絡接点を有する電気コネクタ、およびイグニション材料１６を有する。この発明は、ガスジェネレータ用の新規なタイプの電気コネクタに向けられている。図５に最もよく示されているように、外側ハウジング１４は、コネクタ１２に接続されるときに、外側ハウジング１４の前端は、棚３０の前方において巻きつけられ、その棚３０に対する第２の接点区分３６の端部４８を挟む。この接続は、２つの機能を有する。先ず第１に、この接続は、短絡接点の内側ハウジング部材１８および外側ハウジング部材１４との機械的接続を提供する。第２に、その接続は、外側ハウジング部材１４および短絡接点２２の間の電気接続を提供する。このように、短絡接点２２は、電気端子２０を相互に、そして外側ハウジング部材１４に、電気的に接続する。異なる実施例においては、第２の接点区分を外側のハウジング部材に接続するための、付加的な、または異なる装置を設けることができる。
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
穀物を40質量％より多い炭酸水素ナトリウムを含む粉末と接触させる、該穀物の貯蔵におけるダニと戦うための方法。
【請求項２】
前記穀物をサイロ内に貯蔵し、かつ前記サイロの壁に前記粉末を射出する、請求項１に記載の方法。
【請求項３】
前記粉末を構成する顆粒の少なくとも90％が500μm未満の直径を有する、請求項１又は２に記載の方法。
【請求項４】
前記直径が100μm未満である、請求項３に記載の方法。
【請求項５】
前記粉末が、少なくとも95％の炭酸水素ナトリウムを含む、請求項１又は２に記載の方法。
【請求項６】
前記粉末が神経毒性物質のない、請求項１又は２に記載の方法。
【請求項７】
その併せ持ったダニ駆除効果と殺虫効果のための、請求項１に記載の方法。
【請求項８】
前記粉末が少なくとも１質量％のシリカを含む、請求項１に記載の方法。
【請求項９】
前記シリカがシリカゲルである、請求項８に記載の方法。
【請求項１０】
その併せ持ったダニ駆除効果、殺真菌効果及び殺虫効果のための、請求項７〜９のいずれか１項に記載の方法。
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
運動障害の治療方法であって、下式、
【化１】
2006510659.tif 000001
（式中、R3及びR4は、低級アルキル、フェニル及び低級アルキル置換フェニルから成る群からそれぞれ独立に選択され、またR1及びR2は、それぞれ独立に水素原子又は下式、
【化２】
2006510659.tif 000002
（式中、R5及びR6は、H、低級アルキル、フェニル及び低級アルキル置換フェニルから成る群からそれぞれ独立に選択される。）の基を表す。）に従う化合物又はその医薬的に許容される塩、プロドラッグ又は代謝物のこの目的に対する有効量を含む組成物を治療を必要とする患者へ投与する工程を含むことを特徴とする方法。
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
ｐ３８マイトジェン活性化タンパク質（ＭＡＰ）キナーゼ阻害剤を有効成分として含んで成る、Ｉ型糖尿病に感受性の患者のＩ型糖尿病の発症を予防するための製薬学的製剤。
【請求項２】
患者が熱ショックタンパク質に対して増加した免疫反応を示す、請求項１記載の製薬学的製剤。
【請求項３】
熱ショックタンパク質がＨＳＰ６０である、請求項２記載の製薬学的製剤。
【請求項４】
ｐ３８ＭＡＰキナーゼ阻害剤がｐ３８α、ｐ３８β、ｐ３８γもしくはｐ３８δに対して選択的である、請求項１記載の製薬学的製剤。
【請求項５】
患者がヒトである、請求項１記載の製薬学的製剤。
【請求項６】
ｐ３８マイトジェン活性化タンパク質（ＭＡＰ）キナーゼ阻害剤を有効成分として含んで成る、上昇した血糖レベルをもつ患者の血糖レベルを低下させるための製薬学的製剤。          
【請求項７】
ｐ３８ＭＡＰキナーゼ阻害剤がｐ３８α、ｐ３８β、ｐ３８γもしくはｐ３８δに対して選択的である、請求項６記載の製薬学的製剤。
【請求項８】
患者がヒトである、請求項６記載の製薬学的製剤。
【請求項９】
ｐ３８マイトジェン活性化タンパク質（ＭＡＰ）キナーゼ阻害剤を有効成分として含んで成る、Ｉ型糖尿病を罹患する患者の体重減少を抑制するための製薬学的製剤。
【請求項１０】
ｐ３８ＭＡＰキナーゼ阻害剤がｐ３８α、ｐ３８β、ｐ３８γもしくはｐ３８δに対して選択的である、請求項９記載の製薬学的製剤。
【請求項１１】
患者がヒトである、請求項９記載の製薬学的製剤。
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
製薬上許容できるキャリアーと１−（３，４−ジメトキシフェニル）−４−メチル−５−エチル−７−メトキシ−８−ヒドロキシ−５Ｈ−２，３−ベンゾジアゼピン又はその製薬上許容できる塩を含む製薬組成物。
【請求項２】
組成物中の（Ｒ）−１−（３，４−ジメトキシフェニル）−４−メチル−５−エチル−７−メトキシ−８−ヒドロキシ−５Ｈ−２，３−ベンゾジアゼピン又はその製薬上許容できる塩の量が、組成物中の１−（３，４−ジメトキシフェニル）−４−メチル−５−エチル−７−メトキシ−８−ヒドロキシ−５Ｈ−２，３−ベンゾジアゼピン又はその製薬上許容できる塩の総重量の８５重量％以上である請求項１に記載の組成物。
【請求項３】
組成物中の（Ｒ）−１−（３，４−ジメトキシフェニル）−４−メチル−５−エチル−７−メトキシ−８−ヒドロキシ−５Ｈ−２，３−ベンゾジアゼピン又はその製薬上許容できる塩の量が、組成物中の１−（３，４−ジメトキシフェニル）−４−メチル−５−エチル−７−メトキシ−８−ヒドロキシ−５Ｈ−２，３−ベンゾジアゼピン又はその製薬上許容できる塩の総重量の９０重量％以上である請求項２に記載の組成物。
【請求項４】
組成物中の（Ｒ）−１−（３，４−ジメトキシフェニル）−４−メチル−５−エチル−７−メトキシ−８−ヒドロキシ−５Ｈ−２，３−ベンゾジアゼピン又はその製薬上許容できる塩の量が、組成物中の１−（３，４−ジメトキシフェニル）−４−メチル−５−エチル−７−メトキシ−８−ヒドロキシ−５Ｈ−２，３−ベンゾジアゼピン又はその製薬上許容できる塩の総重量の９５重量％以上である請求項３に記載の組成物。
【請求項５】
組成物中の（Ｒ）−１−（３，４−ジメトキシフェニル）−４−メチル−５−エチル−７−メトキシ−８−ヒドロキシ−５Ｈ−２，３−ベンゾジアゼピン又はその製薬上許容できる塩の量が、組成物中の１−（３，４−ジメトキシフェニル）−４−メチル−５−エチル−７−メトキシ−８−ヒドロキシ−５Ｈ−２，３−ベンゾジアゼピン又はその製薬上許容できる塩の総重量の９９重量％以上である請求項４に記載の組成物。
【請求項６】
組成物中の（Ｓ）−１−（３，４−ジメトキシフェニル）−４−メチル−５−エチル−７−メトキシ−８−ヒドロキシ−５Ｈ−２，３−ベンゾジアゼピン又はその製薬上許容できる塩の量が、組成物中の１−（３，４−ジメトキシフェニル）−４−メチル−５−エチル−７−メトキシ−８−ヒドロキシ−５Ｈ−２，３−ベンゾジアゼピン又はその製薬上許容できる塩の総重量の８５重量％以上である請求項１に記載の組成物。
【請求項７】
組成物中の（Ｓ）−１−（３，４−ジメトキシフェニル）−４−メチル−５−エチル−７−メトキシ−８−ヒドロキシ−５Ｈ−２，３−ベンゾジアゼピン又はその製薬上許容できる塩の量が、組成物中の１−（３，４−ジメトキシフェニル）−４−メチル−５−エチル−７−メトキシ−８−ヒドロキシ−５Ｈ−２，３−ベンゾジアゼピン又はその製薬上許容できる塩の総重量の９０重量％以上である請求項６に記載の組成物。
【請求項８】
組成物中の（Ｓ）−１−（３，４−ジメトキシフェニル）−４−メチル−５−エチル−７−メトキシ−８−ヒドロキシ−５Ｈ−２，３−ベンゾジアゼピン又はその製薬上許容できる塩の量が、組成物中の１−（３，４−ジメトキシフェニル）−４−メチル−５−エチル−７−メトキシ−８−ヒドロキシ−５Ｈ−２，３−ベンゾジアゼピン又はその製薬上許容できる塩の総重量の９５重量％以上である請求項７に記載の組成物。
【請求項９】
組成物中の（Ｓ）−１−（３，４−ジメトキシフェニル）−４−メチル−５−エチル−７−メトキシ−８−ヒドロキシ−５Ｈ−２，３−ベンゾジアゼピン又はその製薬上許容できる塩の量が、組成物中の１−（３，４−ジメトキシフェニル）−４−メチル−５−エチル−７−メトキシ−８−ヒドロキシ−５Ｈ−２，３−ベンゾジアゼピン又はその製薬上許容できる塩の総重量の９９重量％以上である請求項８に記載の組成物。
【請求項１０】
個体においてロイコトリエンＢ4により誘起される炎症性障害の発病を治療、予防し又は遅延させるために使用される請求項１〜９いずれか１項記載の組成物。
【請求項１１】
上記障害が炎症性腸疾患、潰瘍性大腸炎、乾癬、リューマチ様関節炎及び放射線誘発胃腸炎よりなる群から選ばれる請求項１０に記載の組成物。
【請求項１２】
個体においてトロンボキサンＡ2により誘起される障害の発病を治療、予防し又は遅延させるために使用される請求項１〜９いずれか１項記載の組成物。
【請求項１３】
上記障害が慢性疲労症候群／線維筋肉痛、不妊、顎の骨壊死、多発性硬化症、鬱病、自閉症、クローン病、炎症性腸疾患、後期ライム病、シオグレン症候群、一過性虚血性発作、注意欠陥障害、パーキンソン病、凝固の免疫系活性化、痛み、喘息及び進行性腫瘍と関連した脈管形成よりなる群から選ばれる請求項１２に記載の組成物。
【請求項１４】
個体においてアデノシンにより誘起される障害の発病を治療するために使用される請求項１〜９いずれか１項記載の組成物。
【請求項１５】
上記障害がニューロンの高められた電気興奮性と関連した中枢神経系の障害、脳血流の減少と関連した中枢神経系の障害、興奮性アミノ酸の放出の増加と関連した中枢神経系の障害、脳虚血、アデノシンにより誘起される脳虚血又は発作と関連したニューロン細胞死、片頭痛、パーキンソン病、うっ血性心不全、冠状動脈疾患、高血圧、腎不全、緑内障、喘息、及び細胞毒性化学療法又は電離放射線療法と関連した骨髄抑制よりなる群から選ばれる請求項１４に記載の組成物。
【請求項１６】
傷害の治癒を高めるために使用される請求項１〜９いずれか１項記載の組成物。
【請求項１７】
胃腸器官の弛緩を誘発するために使用される請求項１〜９いずれか１項記載の組成物。
【請求項１８】
細胞毒性化学療法又は電離放射線療法と関連した骨髄抑制の発症を予防し、減少させ又は遅延させるために使用される請求項１〜９いずれか１項記載の組成物。
【手続補正２】
【補正対象書類名】明細書
【補正対象項目名】０１２９
【補正方法】変更
【補正の内容】
【０１２９】
ＬＴＢ4により誘起される炎症性障害を治療し若しくは予防するため、又はＴＸＡ2により誘起された障害を治療するため、又はアデノシンにより誘起された障害を治療するためには、ラセミ−１−（３，４−ジメトキシフェニル）−４−メチル−５−エチル−７−メトキシ−８−ヒドロキシ−５Ｈ−２，３−ベンゾジアゼピン又はそのエナンチオマーの治療上の利益を得るための特定の薬量は、患者の身長、体重、年齢及び性別を含めて個々の患者の特別の環境によって決定される。また、疾病の種類と状態及び投与経路も決定的なことである。一般に、毎日約１００〜１５００ｍｇ／日の投薬量を用いることができる。好ましくは、毎日約１００〜１０００ｍｇ／日の投薬量を用いることができる。更に好ましくは、毎日約１００〜５００ｍｇ／日の投薬量を用いることができる。これらよりも多く又は少ない薬量も意図される。
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
次式Ｉ：
【化１】
2006510632.tif 000001
［ここで、
Ｒ1は−（Ｃ1〜Ｃ7）ヒドロカルビル又は−（Ｃ2〜Ｃ6）ヘテロアルキルであり、
Ｒ2は−Ｈ又は−（Ｃ1〜Ｃ7）ヒドロカルビルであり、
ここに、Ｒ1とＲ2は一緒になって炭素環式又は複素環式の５又は６員環を形成でき、またＲ5とＲ6は一緒になって５、６又は７員の複素環式環を形成でき、
フェニル環置換基Ｒ3、Ｒ4、Ｒ5又はＲ6の一つは−ＯＨであり、残りのフェニル置換基Ｒ3、Ｒ4、Ｒ5又はＲ6は−（Ｃ1〜Ｃ7）ヒドロカルビル、−ＣＦ3、−Ｏ（Ｃ1〜Ｃ7）ヒドロカルビル、−Ｏ−アシル、−ＮＨ2、−ＮＨ（Ｃ1〜Ｃ6）アルキル、−Ｎ（（Ｃ1〜Ｃ6）アルキル）2、−ＮＨ−アシル及びハロゲンよりなる群から独立して選ばれ、
＊はキラルな炭素原子を示し、
波線により示される結合はキラルな炭素原子の周囲の絶対立体配座が（Ｒ）又は（Ｓ）のいずれかであり得ることを示す。］
で表される化合物又はそのような化合物の製薬上許容できる塩を含む過敏性腸症候群又は非潰瘍性消化不良の治療又は予防用薬剤。
【請求項２】
−ＯＨである１個のフェニル置換基がＲ3又はＲ4である請求項１に記載の薬剤。
【請求項３】
上記フェニル置換基Ｒ3、Ｒ4、Ｒ5又はＲ6の一つが−ＯＨであり、残りのフェニル置換基が−Ｏ（Ｃ1〜Ｃ7）ヒドロカルビルよりなる群から独立して選ばれる請求項１に記載の薬剤。
【請求項４】
−ＯＨである１個のフェニル置換基がＲ3又はＲ4である請求項３に記載の薬剤。
【請求項５】
上記残りのフェニル置換基Ｒ3、Ｒ4、Ｒ5又はＲ6が−Ｏ（Ｃ1〜Ｃ7）アルキルよりなる群から独立して選ばれる請求項１に記載の薬剤。
【請求項６】
−ＯＨである１個のフェニル置換基がＲ3又はＲ4である請求項５に記載の薬剤。
【請求項７】
フェニル置換基Ｒ3、Ｒ4、Ｒ5又はＲ6の一つが−ＯＨであり、残りのフェニル置換基Ｒ3、Ｒ4、Ｒ5又はＲ6が−ＯＣＨ3である請求項１に記載の薬剤。
【請求項８】
−ＯＨである１個のフェニル置換基がＲ3又はＲ4である請求項７に記載の薬剤。
【請求項９】
Ｒ1及びＲ2が（Ｃ1〜Ｃ7）アルキルから独立して選ばれる請求項１、３、５又は７のいずれかに記載の薬剤。
【請求項１０】
Ｒ1及びＲ2が（Ｃ1〜Ｃ3）アルキルから独立して選ばれる請求項９に記載の薬剤。
【請求項１１】
Ｒ1が−ＣＨ2ＣＨ3であり、Ｒ2が−ＣＨ3である請求項１０に記載の薬剤。
【請求項１２】
式Ｉの化合物が
・１−（３，４−ジメトキシフェニル）−４−メチル−５−エチル−７−ヒドロキシ−８−メトキシ−５Ｈ−２，３−ベンゾジアゼピン、
・１−（３−ヒドロキシ−４−メトキシフェニル）−４−メチル−５−エチル−７，８−ジメトキシ−５Ｈ−２，３−ベンゾジアゼピン、
・１−（３−メトキシ−４−ヒドロキシフェニル）−４−メチル−５−エチル−７，８−ジメトキシ−５Ｈ−２，３−ベンゾジアゼピン、
・１−（３，４−ジメトキシフェニル）−４−メチル−５−エチル−７−メトキシ−８−ヒドロキシ−５Ｈ−２，３−ベンゾジアゼピン、
又はこれらの化合物の製薬上許容できる塩類
よりなる群から選ばれる請求項１に記載の薬剤。
【請求項１３】
上記化合物が実質上単離された（Ｒ）−エナンチオマー又はこれらの化合物の製薬上許容できる塩類の形である請求項１〜１２のいずれかに記載の薬剤。
【請求項１４】
上記化合物が実質上単離された（Ｓ）−エナンチオマー又はこれらの化合物の製薬上許容できる塩類の形である請求項１〜１２のいずれかに記載の薬剤。
【請求項１５】
過敏性腸症候群を治療又は予防するための請求項１〜１４のいずれかに記載の薬剤。
【請求項１６】
非潰瘍性消化不良を治療又は予防するための請求項１〜１４のいずれかに記載の薬剤。
【手続補正２】
【補正対象書類名】明細書
【補正対象項目名】００８２
【補正方法】変更
【補正の内容】
【００８２】
過敏性腸症候群又は非潰瘍性消化不良を治療し又は予防するためには、式Ｉの化合物又はその実質上単離されたエナンチオマーの治療上の利益を得るための特定の薬量は、勿論、患者の身長、体重、年齢及び性別を含めて個々の患者の特別の環境によって決定される。また、疾病の種類と状態及び投与経路も決定的なことである。例えば、毎日約１００〜１５００ｍｇ／日の投薬量を用いることができる。好ましくは、毎日約１００〜１０００ｍｇ／日の投薬量を用いることができる。更に好ましくは、毎日約１００〜５００ｍｇ／日の投薬量を用いることができる。これらよりも多く又は少ない薬量も意図される。
【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
構造式：
【化１】
2006510676.tif 000001
を有する５−（４−フルオロ−フェニル）−２−ウレイド−チオフェン−３−カルボン酸アミド。
【請求項２】
請求項１に記載の化合物と、医薬上許容される担体とを含む、病的ＮＦ−κＢ活性化を阻害するための医薬組成物。
【請求項３】
病的ＮＦ−κＢ活性化により特徴付けられる疾患が炎症または組織修復障害である請求項２記載の組成物。
【請求項４】
疾患が、炎症および組織修復障害、特に関節リウマチ、炎症性腸管疾患、喘息およびＣＯＰＤ（慢性閉塞性肺疾患）、骨関節炎、骨粗鬆症および線維症、乾癬、アトピー性皮膚炎および紫外線照射（ＵＶ）誘発の皮膚損傷を含む皮膚病、全身性紅斑性狼瘡、多発性硬化症、乾癬性関節炎、強直性脊椎炎を含む自己免疫疾患、組織および器官拒絶反応、アルツハイマー病、発作、アテローム性動脈硬化症、再狭窄、糖尿病、糸球体腎炎、ホジキン病を含む癌、カへキシー、感染および後天性免疫不全症候群（ＡＩＤＳ）を含むある種のウイルス感染に伴う炎症、成人呼吸窮迫症候群および毛細血管拡張失調症からなる群から選択される請求項３記載の組成物。
【請求項５】
前記疾患が皮膚病である請求項３記載の組成物。
【請求項６】
疾患が、乾癬、アトピー性皮膚炎、およびＵＶにより誘発される皮膚損傷からなる群から選択される請求項３記載の組成物。
【請求項７】
疾患が、自己免疫疾患；組織および器官拒絶反応、アルツハイマー病、発作、アテローム性動脈硬化症、再狭窄、糖尿病、糸球体腎炎、骨関節炎、骨粗鬆症、および毛細血管拡張失調症からなる群から選択される請求項３記載の組成物。
【請求項８】
前記疾患が自己免疫疾患である請求項３記載の組成物。
【請求項９】
自己免疫疾患が全身性紅斑性狼瘡、多発性硬化症、乾癬性関節炎、または強直性脊椎炎、糖尿病である請求項３記載の組成物。
【請求項１０】
疾患が癌および／またはカヘキシーである請求項３記載の組成物。
【請求項１１】
癌がホジキン病である請求項３記載の組成物。
【請求項１２】
疾患が感染および後天性免疫不全症候群（ＡＩＤＳ）を含むある種のウイルス感染症に付随する炎症である請求項３記載の組成物。
【請求項１３】
疾患がＡＩＤＳである請求項３記載の組成物。
【請求項１４】
疾患が成人呼吸窮迫症候群である請求項３記載の組成物。
【請求項１５】
前記疾患がＣＯＰＤである請求項３記載の組成物。
【請求項１６】
前記疾患が喘息である請求項３記載の組成物。
【請求項１７】
前記疾患が関節リウマチである請求項３記載の組成物。
【請求項１８】
ＮＦ−κＢおよびチェックポイントキナーゼの二重阻害を示す請求項３記載の組成物。
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
式Ｉ
【化１】
2006510685.tif 000001
式中
ｉ）Ｃ１およびＣ２間の結合は、単結合であり；
Ｒ１は、メチル、エチル、ｉ−プロピル、ｎ−プロピルであり；
Ｒ２およびＲ３は、独立して水素またはメチルであり；あるいは
Ｒ２およびＲ３は総合して、二価基（ＣＨ２）ｎ、Ｃ（ＣＨ３）２、またはＣＨ（ＣＨ３）であり、該二価基が結合する炭素原子とともにシクロアルカン環を形成し；
Ｒ４およびＲ５は、独立して水素またはメチルであり；あるいは
Ｒ４およびＲ５は総合して、二価基（ＣＨ２）ｎ、（ＣＨ２）ｎ−１ＣＨ（ＣＨ３）２、または（ＣＨ２）ｎ−１ＣＨ（ＣＨ３）であり、該二価基が結合する炭素原子とともにシクロアルカン環を形成し；
ｎは、１、２、３、または４の整数であり；および
ここで、少なくとも１つのシクロアルカン環が存在する；あるいは
ｉｉ）Ｃ１およびＣ２間の結合は、破線とともに二重結合を表し；
Ｒ１は、メチル、エチル、ｉ−プロピル、ｎ−プロピルであり；
Ｒ２は、水素またはメチルであり；
Ｒ３およびＲ４は共に、水素またはメチルであり；および
Ｒ５は、水素、メチル、エチル、ｉ−プロピル、ｎ−プロピル、ｎ−ブチル、ｔｅｒｔ−ブチルまたはｓｅｃ−ブチルである、
で表される化合物のフレーバーまたはフレグランスとしての使用。
【請求項２】
１−シクロプロピルメチル−４−メチルスルファニル−ベンゼン、１−シクロブチルメチル−４−メチルスルファニル−ベンゼン、１−シクロペンチルメチル−４−メチルスルファニル−ベンゼン、１−シクロヘキシルメチル−４−メチルスルファニル−ベンゼン、１−プロパ−１−エニル−４−メチルスルファニル−ベンゼンおよび１−ヘキサ−１−エニル−４−メチルスルファニル−ベンゼンからなる群から選択された、請求項１に記載の化合物の使用。
【請求項３】
請求項１または２に定義した化合物、またはその混合物を含む、フレグランスまたはフレーバー組成物。
【請求項４】
式Ｉ
【化２】
2006510685.tif 000002
式中
ｉ）Ｃ１およびＣ２間の結合は、単結合であり；
Ｒ１は、メチル、エチル、ｉ−プロピル、ｎ−プロピルであり；
Ｒ２およびＲ３は、独立して水素またはメチルであり；あるいは
Ｒ２およびＲ３は総合して、二価基（ＣＨ２）ｎ、Ｃ（ＣＨ３）２，またはＣＨ（ＣＨ３）であり、これが結合する炭素原子とともにシクロアルカン環を形成し；
Ｒ４およびＲ５は、独立して水素またはメチルであり；あるいは
Ｒ４およびＲ５は総合して、二価基（ＣＨ２）ｎ、（ＣＨ２）ｎ−１ＣＨ（ＣＨ３）２、または（ＣＨ２）ｎ−１ＣＨ（ＣＨ３）であり、該二価基が結合する炭素原子とともにシクロアルカン環を形成し；  
ｎは、１、２、３、または４の整数であり；および
ここで、少なくとも１つのシクロアルカン環が存在する；あるいは
ｉｉ）Ｃ１およびＣ２間の結合は、破線とともに二重結合を表し；
Ｒ１は、メチル、エチル、ｉ−プロピル、ｎ−プロピルであり；
Ｒ２は、水素またはメチルであり；
Ｒ３およびＲ４は共に、水素またはメチルであり；および
Ｒ５は、水素、メチル、エチル、ｉ−プロピル、ｎ−プロピル、ｎ−ブチル、ｔｅｒｔ−ブチルまたはｓｅｃ−ブチルであり、
ただし、
Ｒ１がエチル；Ｒ２が水素；ならびにＲ３およびＲ４が共に水素の場合；Ｒ５は、水素ではない、または
Ｒ１がメチル；Ｒ２が水素；ならびにＲ３およびＲ４が共に水素の場合；Ｒ５は、水素またはメチルではない、
で表される化合物。
【請求項５】
１−シクロプロピルメチル−４−メチルスルファニル−ベンゼン、１−シクロブチルメチル−４−メチルスルファニル−ベンゼン、１−シクロペンチルメチル−４−メチルスルファニル−ベンゼン、１−シクロヘキシルメチル−４−メチルスルファニル−ベンゼンおよび１−ヘキサ−１−エニル−４−メチルスルファニル−ベンゼンからなる群から選択される、請求項４に記載の化合物。
【手続補正書】
【提出日】平成18年12月11日(2006.12.11)
【手続補正１】
【補正対象書類名】明細書
【補正対象項目名】００２６
【補正方法】変更
【補正の内容】
【００２６】
物体１４２にはタグ１４０が取り付けられるが、このタグは、受動タグでも、能動タグでもよい。どちらの場合も、タグは一般に、高々２、３メートルの狭い送信範囲しかもっていない。物体の位置に関して比較的高い精度が必要な場合、タグ１４０の送信範囲は、さらに狭いものとすることができる。物体測位システム１００のユーザ１８０は、携帯トランシーバ１６０を身に着けている。
【手続補正２】
【補正対象書類名】明細書
【補正対象項目名】００３１
【補正方法】変更
【補正の内容】
【００３１】
また、携帯トランシーバ１６０は、物体の位置を記憶しておくためのデータ記憶装置を備えることができる。これは、携帯トランシーバ１６０が、２つ以上の物体位置把握システムと互換性がある場合に特に有利であり、その場合、１つの物体位置把握システムで取得した位置情報を、別の物体位置把握システムに切り換わったときに後者のシステムにアップロードすることができる。代替として、携帯トランシーバ１６０のデータ記憶装置は、出力に結合することができ、そうすることで、携帯トランシーバ１６０から位置情報をダウンロードすることができる。これは、物体測位システム１００が工場用地や港の倉庫など遠隔地に存在し、位置情報が別の場所にあるデータベースによってアクセス可能でなければならない状況において有利となり得る。
【手続補正３】
【補正対象書類名】明細書
【補正対象項目名】００３３
【補正方法】変更
【補正の内容】
【００３３】
さて、図１に戻ると、携帯トランシーバ１６０を身に着けたユーザ１８０が、タグ１４０が取り付けられた物体１４２に近づいて、例えば、位置Ａでユーザ１８０が物体１４２を手に取ると、携帯トランシーバのＲｘアンテナ１６１が、タグからの信号を捕らえ、携帯トランシーバ１６０の信号プロセッサ１６４は、上で説明したように、物体測位システム１００によって物体位置把握のために使用される技法に応じて、受信機１２２、１２６、１２８によって、または受信機１２２だけによって受信される、物体関連信号の第１の部分を発生させることができる。携帯トランシーバ１６０は、タグ１４０からの信号の信号強度の十分に大きな変化にだけ応答して物体関連信号を送信することができるが、その場合、携帯トランシーバ１６０は、物体１４２に接近しているときだけ、物体関連信号を送信する。この信号は、物体がユーザの近くに存在し、再配置された可能性のあることを、データベース１２４に通知する。この時点で、データベース１２４は、物体関連信号の発信源の決定を開始することができ、この発信源を物体１４２の位置に関連づける。
【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
粉末層を作業テーブルに加える工程と、
前記粉末層のために決定されている操作計画に従って、前記粉末層内の選択された区域に放射銃からエネルギーを供給する工程と、三次元体の横断面を形成するため、前記操作計画に従って選択された粉末層の前記区域を融合する工程とから成り、連続して加えられる粉末層から、連続して形成される横断面の連続する融合によって三次元体を形成することにより、三次元体の連続する横断面に部分、部分が対応している粉末床の選択された区域の連続する融合によって、三次元体を製造する方法において、端縁Ｒをそれぞれ有する１個、又はそれ以上の個数の内部区域Ｉに、前記選択された区域を分割し、主移動方向と、前記主移動方向に直角な方向の成分を有していて、前記主移動方向に加えられる干渉項とを具える前記放射銃のビームの焦点の移動パターンの間に、前記内部区域Ｉを融合することを特徴とする三次元体の製造方法。
【請求項２】
前記干渉項は方向を変換すると共に、前記主移動方向からゼロドリフトに相当する時間平均値を有していることを特徴とする請求項１に記載の方法。
【請求項３】
前記干渉項は前記主移動方向に平行な成分を有していることを特徴とする請求項１に記載の方法。
【請求項４】
前記移動パターンは前記放射銃のビームの一部重複する螺旋運動に対応していることを特徴とする請求項３に記載の方法。
【請求項５】
前記放射銃のビームの主に直線運動の間に、前記端縁を融合することを特徴とする請求項１〜４のいずれか１項に記載の方法。
【請求項６】
各粉末層内の少なくとも前記選択された区域についてエネルギーバランスを計算し、前記選択された区域の周囲から、この選択された区域内に放射されるエネルギーが前記選択された区域の画定された操作温度を維持するのに充分であるか否かを前記計算において、決定することを特徴とする請求項１〜５のいずれか１項に記載の方法。
【請求項７】
前記エネルギーバランスの計算の結果が前記選択された区域の意図した操作温度を維持するために充分なエネルギーが無いと言うことであれば、前記選択された区域を融合するための前記エネルギーに加えて、前記選択された区域を加熱するためのエネルギーを供給し、前記選択された区域の画定された操作温度を次に達成することを特徴とする請求項６に記載の方法。
【請求項８】
前記選択された区域に供給されるエネルギーをEin(i)とし、前記選択された区域からの散逸、及び放射によるエネルギー損失をEOUT(i) とし、前記選択された区域に蓄えられたえネルギーをEheat(i)として、各粉末層のエネルギーバランスをEin(i)＝EOUT(i)＋Eheat(i) によって計算することを特徴とする請求項６、又は７に記載の方法。
【請求項９】
三次元製品をその上に構築する作業テーブルと、粉末床を形成するため、前記作業テーブル上に、粉末の薄い層を分散させるように配置された粉末分配器と、前記粉末の融合が次に行われるように、前記粉末にエネルギーを送給する放射銃と、前記粉末床の部分、部分を融合させることによって、前記三次元製品の横断面を形成するよう、前記粉末床上に前記放射銃によって放出されたビームを案内する案内手段と、三次元製品を構築する三次元製品の連続する横断面についての情報を記憶する制御コンピュータとを具え、前記三次元体の横断面を形成する操作計画に従って、前記粉末床上に前記放射銃を案内する前記案内手段を制御するように、前記制御コンピュータを構成し、前記粉末分配器によって、連続的に形成された横断面の連続する融合によって形成される三次元製品を製造する装置において、それぞれ端縁Ｒを有する１個、又はそれ以上の個数の内部区域Ｉに、前記選択された区域を分割し、前記放射銃のビームの焦点についての移動パターンの間に、内部区域Ｉを融合するよう前記放射銃を制御し、前記移動パターンは主移動方向と干渉項とを具え、干渉項は主移動方向に直角な方向の成分を有し、主移動方向に加えられるものとするよう、前記制御コンピュータを構成したことを特徴とする三次元製品の製造装置。
【請求項１０】
前記干渉項は方向を変換すると共に、前記主移動方向からゼロドリフトに相当する時間平均値を有していることを特徴とする請求項９に記載の装置。
【請求項１１】
前記干渉項は前記主移動方向に平行な成分を有していることを特徴とする請求項９に記載の装置。
【請求項１２】
前記干渉項は前記主移動方向に平行な成分を有していることを特徴とする請求項１１に記載の装置。
【請求項１３】
前記制御コンピュータは、前記放射銃のビームの主に直線運動の間に、前記端縁を融合する構成としたことを特徴とする請求項９〜１２のいずれか１項に記載の装置。
【請求項１４】
各粉末層内の少なくとも選択された区域についてのエネルギーバランスを計算するように前記制御コンピュータをも配置し、前記選択された区域の周りから前記選択された区域内に放射されるエネルギーが前記選択された区域の画定された操作温度を維持するのに充分であるか否かを前記計算において、決定することを特徴とする請求項９〜１３のうちいずれか一項に記載の装置。
【請求項１５】
前記エネルギーバランスの計算の結果、前記選択された区域の意図した操作温度を維持するための充分なエネルギーを前記操作計画が提供するものでないならば、粉末層を融合するための前記エネルギーに加えて、前記粉末層を加熱するエネルギーを供給するため、前記操作計画を制御するように前記制御コンピュータを配置し、前記選択された区域の画定された操作温度を次に維持することを特徴とする請求１４に記載の装置。
【請求項１６】
前記選択された区域に供給されるエネルギーをEin(i)とし、前記選択された区域からの散逸、及び放射によるエネルギー損失をEOUT(i) とし、前記選択された区域に蓄えられたえネルギーをEheat(i)として、各粉末層のエネルギーバランスをEin(i)＝EOUT(i)＋Eheat(i) によって計算するように、前記制御コンピュータを配置することを特徴とする請求項１４または１５に記載の装置。
【請求項１７】
前記粉末床内にある表面層の温度分布を検知する手段を前記製造装置が更に具えることを特徴とする請求項１４〜１６のいずれか１項に記載の装置。
【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
授乳可能な母親の乳房を保護し当該乳房から自然に流れ出してくる母乳を吸い取るため当該乳房に装着可能な授乳母体用保護ディスクであって、第１の種類のディスク（２）を第２の種類のディスク（２’）に対し見た目に異なる外形または輪郭にすること、並びに、触感的に、光学的にまたはその双方により感知できる高浮き彫りまたは浅浮き彫りの区別用マーキング（１）を第１の種類のディスク（２）に少なくとも１個付し反対側の乳房に装着される第２の種類のディスク（２’）にはそれら二種類のディスク（２、２’）を互いに区別できるよう前記種類のマーキングを付さないようにするかまたは別の区別用マーキングを付すこと、のうち、一方又は双方により、互いに明らかに区別できるようにした二種類のディスク（２、２’）を備えることを特徴とする授乳母体用保護ディスク。
【請求項２】
請求項１記載の授乳母体用保護ディスクであって、第２の種類のディスク（２’）に区別用マーキング（１）を取り付けることによりそのディスクを第２の種類から第１の種類へと種類変更できるよう、触感的に、光学的にまたはその双方により感知できる区別用マーキング（１）を取り外し可能としたことを特徴とする授乳母体用保護ディスク。
【請求項３】
請求項１記載の授乳母体用保護ディスクであって、第１の種類のディスク（２）及び第２の種類のディスク（２’）が、簡単に収縮させ又は破裂させることができ区別用マーキング（１）となり得る膨張可能な風船状又は袋状の小型デポジットを、有することを特徴とする授乳母体用保護ディスク。
【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
パーソナルケア器具のためのポンプシステムにおいて、
フレキシブルな材料でできた流体カートリッジ部材であって、流体で満たされた部分と、前記カートリッジ中の前記流体を、前記器具のワークピース部分に接続されたラインに送出するための出口開口とを持つカートリッジ部材と、
前記カートリッジ部材の前記流体で満たされた部分が入れ子になることができる切欠部分を持つベース部材と、
押圧部材であって、前記流体で満たされた部分及び前記押圧部材が、前記切欠部分の長さの少なくともかなりの部分に亘って、前記切欠部分に実質的に入れ子になるように、前記押圧部材の少なくともネスティング部分が、前記ベース部材の前記切欠部分の断面に実質的にマッチする構成を持ち、これにより、動作中、前記押圧部材が前記カートリッジ上で前方へ移動すると、流体は、前記流体で満たされた部分から前記出口開口を通じて移動し、前記フレキシブルなカートリッジは、このような動作中、実質的に前記カートリッジにしわが付くことなしに平らにされる、押圧部材と、
を有するポンプシステム。
【請求項２】
請求項１に記載のシステムにおいて、前記押圧部材はユーザ動作によって移動させられる、システム。
【請求項３】
請求項１に記載のシステムにおいて、前記押圧部材は、前記ネスティング部分の対向する端から外方向に延在する２つの取付け素子を含む、システム。
【請求項４】
請求項３に記載のシステムにおいて、前記ネスティング部分は、その外周全体で前記切欠部分に入れ子になるように構成され、当該ネスティング部分が前記カートリッジの前記流体で満たされた部分に沿って回転して、当該流体で満たされた部分から流体を前記出口開口を通じて押し出すことが可能にされる、システム。
【請求項５】
請求項１に記載のシステムにおいて、前記流体カートリッジは貯蔵部分を含み、分注動作の後、当該貯蔵部分から流体が移動して、前記流体で満たされた部分の流体を補給する、システム。
【請求項６】
請求項５に記載のシステムにおいて、前記流体で満たされた部分は、前記押圧部材によって圧縮された後に膨張する材料を有し、このため、前記貯蔵部分からの流体は、前記流体で満たされた部分の空の部分へ真空動作によって移動する、システム。
【請求項７】
請求項５に記載のシステムにおいて、前記押圧部材がその経路に沿って移動するにつれて、流体が前記押圧部材の後ろの前記流体で満たされた部分の空になった部分に移動させられるように前記貯蔵部分に加圧する手段を含むシステム。
【請求項８】
請求項１に記載のシステムにおいて、前記切欠部分の先頭部分は、前記押圧手段の前記ネスティング部分の長さより細いが、前記ネスティング部分が前記切欠部分内に完全に入れ子になる太さまで外方向にテーパする、システム。
【請求項９】
請求項１に記載のシステムにおいて、前記切欠部分の終端部分は、内方向にテーパし、前記押圧部材がその経路に沿って移動するにつれて、当該押圧部材は、前記ベース部材から持ち上げられ、前記切欠部分とのネスティング接触をしなくなる、システム。
【請求項１０】
請求項９に記載のシステムにおいて、前記押圧部材の押圧動作の開始地点まで前記押圧部材を戻すように前記押圧部材を支持するように構成され動作可能な支持アーム部材を含むシステム。
【請求項１１】
請求項１０に記載のシステムにおいて、前記押圧部材の戻りはバネ動作による、システム。
【請求項１２】
駆動システム及び、ドライバアセンブリのための電源を持つハンドル部分と、
ブラシヘッドが取り付けられるアームと、被駆動アセンブリを前記ハンドル部分に接続するための構造要素とを持つ当該被駆動部材アセンブリと、
流体を前記ブラシヘッドに分注するためのポンプシステムであって、フレキシブルな材料でできた流体カートリッジ部材を含み、当該カートリッジ部材は、流体で満たされた部分と、前記カートリッジ中の前記流体を、前記ポンプを前記ブラシヘッドに接続するラインに送出するための出口開口とを持つ、ポンプシステムと、
前記カートリッジ部材の前記流体で満たされた部分が入れ子になることができる切欠部分を持つベース部材と、
押圧部材であって、前記流体で満たされた部分及び前記押圧部材が、前記切欠部分の長さの少なくともかなりの部分に亘って、前記切欠部分に実質的に入れ子になるように、前記押圧部材の少なくともネスティング部分が、前記ベース部材の前記切欠部分の断面に実質的にマッチする構成を持ち、これにより、動作中、前記押圧部材が前記カートリッジ上で移動すると、流体は、前記流体で満たされた部分から前記出口開口を通過して前記接続ラインに移動し、前記フレキシブルなカートリッジは、このような動作中、実質的に前記カートリッジにしわが付くことなしに平らにされる、押圧部材と、  
を有する電動歯ブラシ。
【請求項１３】
請求項１２に記載の電動歯ブラシにおいて、前記押圧部材は、前記ネスティング部分の対向する端から外方向に延在する２つの取付け素子を含む、電動歯ブラシ。
【請求項１４】
請求項１２に記載の電動歯ブラシにおいて、前記ネスティング部分は、その外周全体で前記切欠部に入れ子になるように構成され、当該ネスティング部分が前記カートリッジの前記流体で満たされた部分に沿って回転して、当該流体で満たされた部分から流体を前記出口開口を通じて押し出すことが可能にされる、電動歯ブラシ。
【請求項１５】
請求項１２に記載の電動歯ブラシにおいて、前記押圧部材がその経路に沿って移動するにつれて、流体が前記押圧部材の後ろの前記流体で満たされた部分の空になった部分に移動させられるように貯蔵部分に加圧する手段を含む電動歯ブラシ。
【手続補正書】
【提出日】平成18年11月24日(2006.11.24)
【手続補正１】
【補正対象書類名】特許請求の範囲
【補正対象項目名】請求項５
【補正方法】変更
【補正の内容】
【請求項５】
請求項１に記載された方法において、前記の復元は、
前記の画像から軟骨を抽出することにより、軟骨の２値画像を取得するステップであって、前記の罹患軟骨は、前記の２値画像において凹みとして現れるステップと、
罹患軟骨領域を満たす移植片の形を決定するために、形態学的閉じ動作を実行するステップとを
含むことを特徴とする請求項１に記載された方法。
【手続補正２】
【補正対象書類名】特許請求の範囲
【補正対象項目名】請求項７
【補正方法】変更
【補正の内容】
【請求項７】
前記の形態学的閉じ動作が、拡張とそれに続く浸食を含む、請求項５に記載された方法。
【手続補正３】
【補正対象書類名】特許請求の範囲
【補正対象項目名】請求項９
【補正方法】変更
【補正の内容】
【請求項９】
前記の計算手段は、関節と関節修復システムの画像を共通の座標系に併合できる、請求項８のシステム。
【手続補正４】
【補正対象書類名】特許請求の範囲
【補正対象項目名】請求項５１
【補正方法】変更
【補正の内容】
【請求項５１】
第３空洞装置は関節に挿入され、前記の第３空洞装置は、前記の第１空洞装置および前記の第２空洞装置の少なくとも１つと連通する、請求項４９または請求項５０に記載された移植片。
【手続補正５】
【補正対象書類名】特許請求の範囲
【補正対象項目名】請求項７４
【補正方法】変更
【補正の内容】
【請求項７４】
前記の型と係合する前記のブロックの表面は凸状または凹状である、請求項７３に記載されたツール。
【手続補正６】
【補正対象書類名】特許請求の範囲
【補正対象項目名】請求項７５
【補正方法】変更
【補正の内容】
【請求項７５】
前記のブロックと係合する前記の型の表面は凸状または凹状である、請求項７３に記載されたツール。
【手続補正７】
【補正対象書類名】特許請求の範囲
【補正対象項目名】請求項９３
【補正方法】変更
【補正の内容】
【請求項９３】
前記のブロックの表面と通じている前記の型の表面は、軸、横方向、および回転からなるグループから選択された、少なくとも１つの動きを防ぐよう構成される、請求項８７に記載されたツール。
【手続補正８】
【補正対象書類名】特許請求の範囲
【補正対象項目名】請求項９４
【補正方法】変更
【補正の内容】
【請求項９４】
前記の型と係合する前記のブロックの表面は凸状または凹状である、請求項９３に記載されたツール。
【手続補正９】
【補正対象書類名】特許請求の範囲
【補正対象項目名】請求項９５
【補正方法】変更
【補正の内容】
【請求項９５】
前記のブロックと係合する前記の型の表面は凸状または凹状である、請求項９３に記載されたツール。
【手続補正１０】
【補正対象書類名】明細書
【補正対象項目名】００１０
【補正方法】変更
【補正の内容】
【００１０】  侵襲的な関節処置を受ける他の関節に股関節がある。２００３年９月３０日にストーラー（Ｓｔｏｒｅｒ）他に対して発行された特許文献１９は、生まれながらの大腿骨頭を置き換える、大腿骨股関節の補綴を開示している。また、２００２年１０月３日および２００３年６月２６日に公開された、シュタインバーグ（Ｓｔｅｉｎｂｅｒｇ）に対する特許文献２０および特許文献２１も、それぞれ、大腿骨頭を置き換え、股関節内のソケットの球形部分と連通する部材を提供する、股関節補綴を開示している。
【手続補正１１】
【補正対象書類名】明細書
【補正対象項目名】０１７５
【補正方法】変更
【補正の内容】
【０１７５】  図１４Ｊに示したように、保持装置１５１０は、それに取り付けられた１本以上のハンドル１５４７を有することができる。このハンドルにより、外科医は、注入材料が硬化する間、保持装置を所定の位置で容易に維持できるようになる。保持装置の開口１５１２は、注入を受け、さらに、図１４Ｊに示したように、膜１５１３を含むことができる。この構成により、空洞１５２０内への材料１５７０の注入に用いた針１５６０または注入器具が取り外された後に、密封を実現することが補助されることになる。加えて、または膜１５１３に代えて、材料１５７０が注入された後に開口１５１２を封止する、キャップ１５１４を提供してもよい。加えて、欠損を囲む半月板１５９１または軟骨と連通する、固定歯１５９０が提供されてもよい。この固定歯１５９０は、欠損上に配置された場合に装置の安定性を保つことを補助する。
【手続補正１２】
【補正対象書類名】明細書
【補正対象項目名】０２５４
【補正方法】変更
【補正の内容】
【０２５４】  大腿骨プラトー１９７０は、大腿骨補綴の内部と連通する平面を提供するために切除される。大腿骨になされる切断は、脛骨と大腿骨との間で作成されるギャップの全高に基づく。通常、２０ｍｍのギャップが、完全な動作範囲を達成するよう、移植された補綴に適切な余裕を提供するのに望ましい。骨は、大腿骨の機械的軸に対して、５−７°の外反角度で切除される。切除された表面１９７２は、隣接する表面１９７４、１９７６との角度関係を伴う、平らな平面を形成する。表面１９７２−１９７４間、および表面１９７２−１９７６間の角度θ’、θ’’は、移植片の設計により変化する。
【手続補正１３】
【補正対象書類名】明細書
【補正対象項目名】０３１５
【補正方法】変更
【補正の内容】
【０３１５】  図２６Ｆは、外部の第２切断ブロック部分２４４０の側面図を示している。この側面図では、大腿骨の切断にアクセスするために、単一の開口２４５０が提供されている。図２６Ｇは、長方形の溝の位置および相対的角度が示されている、外部の第２部分２４４０の他の側面図を示している。この図から証明されるように、溝２４４２、２４４８、２４５０の方向付けは、外部の第２部分２４４０の少なくとも１つの表面に垂直である。溝２４４４、２４４６の方向付けは、外部の第２部分２４４０の、少なくとも１つの表面に垂直になっていない。これらの溝（２４４４、２４４６）は、大腿骨に対する、角度をつけられた面取り切断をするのを容易にする。図２６Ｈは、外部第２部分２４４０の平面図である。当業者ならば理解されるように、溝の位置および方向付けは、大腿骨移植の設計、および移植片と通じるのに必要な大腿骨の形状に応じて変化することになる。